(57)【特許請求の範囲】
【請求項１】
絶縁体のフィルムと、
前記フィルム上に形成される一体で平面の導電体のアンテナエレメントと、
前記フィルム上に形成されるグランド電位に保持された平面の導電体のグランドエレメントと、を備え、
前記アンテナエレメントは、
平面の導電体からなり給電点を有する第１のエレメントと、
前記第１のエレメントと一体的に形成され、平面の導電体からなるコンデンサ成分を有するコンデンサエレメント及びコイル成分を有するコイルエレメントと、
前記コンデンサエレメント及び前記コイルエレメントと一体的に形成され、平面の導電体からなる第２のエレメントと、を含み、
前記第１のエレメントは、台形状に形成され、前記第１のエレメントの台形状の辺が前記グランドエレメントとの間に所定の角度を有するように形成されると共に、
前記第２のエレメントは、台形状に形成され、前記第２のエレメントの台形状の辺が前記グランドエレメントとの間に所定の角度を有するように形成され、
前記コンデンサエレメントは、前記第１のエレメントと前記第２のエレメントとが対向して配置されるギャップ部により構成され、
前記第１のエレメントの前記給電点は、前記ギャップ部の近傍に設けられている
ことを特徴とする平面モノポールアンテナ。
【請求項２】
請求項１に記載の平面モノポールアンテナと、
前記平面モノポールアンテナを介して無線通信を行う通信手段と、
前記通信手段を制御する制御手段と、を備える電子機器。
【発明の詳細な説明】
【技術分野】
【０００１】
本発明は、平面モノポールアンテナ及び電子機器に関する。
【背景技術】
【０００２】
従来、ハンディターミナル、ＰＤＡ（Personal Digital Assistant）等の無線通信機能を有する携帯端末が知られている。
【０００３】
また、複数の周波数帯の無線信号の送受信を行う小型マルチバンドアンテナが知られている。従来のマルチバンドアンテナは、必要な周波数に対して共振するアンテナエレメントが複数設けられることでマルチバンド共振を実現していた（例えば、特許文献１参照）。
【０００４】
また、大型のモノポールアンテナとして、ロッドアンテナの中間に、当該ロッドアンテナと別部品のトラップコイルを設けて、複数の共振周波数を作る技術があった。トラップコイルは、コイル及びコンデンサからなる部品である。
【特許文献１】特開２００７−１３５９６号公報
【発明の開示】
【発明が解決しようとする課題】
【０００５】
携帯端末の無線通信用のアンテナとして、マルチバンドアンテナを用いる要請がある。しかし、上記従来のマルチバンドアンテナは、アンテナエレメントが複数必要であるため、アンテナのサイズや面積が大きくなってしまうという問題があった。
【０００６】
また、上記従来のモノポールアンテナのように、別部品のトラップコイルを用いる構成を、平面のフィルムアンテナに適用しようとしても、後付の別部品が必要であり、フィルムに後付部品を取り付けることが困難であった。
【０００７】
さらに、平面アンテナにおいて、複数のエレメントを平行に設けてマルチバンドアンテナを構成する方法も考えられる。しかし、このマルチバンドアンテナでは、グランド部分との距離が各エレメントで異なるため、周波数によってインピーダンスが異なってしまい、適切なマッチングをとることが困難であった。
【０００８】
本発明の課題は、小型化及び作成が容易で且つ適切なマッチングが可能なマルチバンドアンテナを実現することである。
【課題を解決するための手段】
【０００９】
上記課題を解決するために、請求項１に記載の発明の平面モノポールアンテナは、絶縁体のフィルムと、
前記フィルム上に形成される一体で平面の導電体のアンテナエレメントと、
前記フィルム上に形成されるグランド電位に保持された平面の導電体のグランドエレメントと、を備え、
前記アンテナエレメントは、
平面の導電体からなり給電点を有する第１のエレメントと、
前記第１のエレメントと一体的に形成され、平面の導電体からなるコンデンサ成分を有するコンデンサエレメント及びコイル成分を有するコイルエレメントと、
前記コンデンサエレメント及び前記コイルエレメントと一体的に形成され、平面の導電体からなる第２のエレメントと、を含み、
前記第１のエレメントは、台形状に形成され、前記第１のエレメントの台形状の辺が前記グランドエレメントとの間に所定の角度を有するように形成されると共に、
前記第２のエレメントは、台形状に形成され、前記第２のエレメントの台形状の辺が前記グランドエレメントとの間に所定の角度を有するように形成され、
前記コンデンサエレメントは、前記第１のエレメントと前記第２のエレメントとが対向して配置されるギャップ部により構成され、
前記第１のエレメントの前記給電点は、前記ギャップ部の近傍に設けられている
ことを特徴とする。
【００１５】
請求項２に記載の発明の電子機器は、
請求項１に記載の平面モノポールアンテナと、
前記平面モノポールアンテナを介して無線通信を行う通信手段と、
前記通信手段を制御する制御手段と、を備える。
【発明の効果】
【００１６】
本発明によれば、小型化及び作成が容易で且つ適切なマッチングが可能なマルチバンドアンテナを実現できる。
【発明を実施するための最良の形態】
【００１７】
以下、添付図面を参照して本発明に係る好適な実施の形態及び第１〜第１０の変形例を順に詳細に説明する。なお、本発明は、図示例に限定されるものではない。
【００１８】
図１〜図１０を参照して本発明に係る実施の形態を説明する。先ず、図１〜図６を参照して本実施の形態の装置構成を説明する。図１に、本実施の形態のハンディターミナル１の正面構成を示す。図２（ａ）に、ハンディターミナル１の背面の透視構成を示す。図２（ｂ）に、ハンディターミナル１の側面の透視構成を示す。図２（ｃ）に、ハンディターミナル１の上面の透視構成を示す。
【００１９】
本実施の形態の電子機器としてのハンディターミナル１は、ユーザ操作による情報の入力、情報の記憶、バーコードのスキャン等の機能を有する携帯端末である。ハンディターミナル１は、特に、無線ＬＡＮ（Local Area Network）方式によりアクセスポイントを介して外部機器と無線通信を行う機能と、ＧＳＭ（Global System for Mobile Communications）等の方式の携帯電話通信機能と、を有する。
【００２０】
図１に示すように、ハンディターミナル１は、ケース２の正面に、表示部１４、トリガキー３Ａ，各種キー３Ｃ等を備える。また、ハンディターミナル１は、ケース２の両側面に、トリガキー３Ｂを備える。トリガキー３Ａ，３Ｂは、後述するスキャナ部１９の光信号発射のトリガ操作入力を受け付けるキーである。各種キー３Ｃは、数字等の文字入力キー、モード切替等の各種機能の入力を受け付ける機能キー等である。
【００２１】
図２（ａ），（ｂ），（ｃ）に示すように、ハンディターミナル１は、内部に、平面モノポールアンテナ３０、同軸ケーブル４０、メイン基板４、ＧＳＭモジュール５、電池６、キー基板３ａ、スキャナ部１９等を備えて構成される。
【００２２】
ハンディターミナル１の各部は、メイン基板４に接続される。平面モノポールアンテナ３０は、上記携帯電話通信に用いるアンテナである。また、平面モノポールアンテナ３０は、ビスで固定されているものとする。平面モノポールアンテナ３０については、後で詳細に説明する。ＧＳＭモジュール５は、上記携帯電話通信を行うためのモジュールであり、同軸ケーブル４０を介して平面モノポールアンテナ３０と接続されている。
【００２３】
スキャナ部１９は、光を発射してその反射光をバーコードに照射し、その反射光を受光及び二値化することにより、バーコードのデータを読み取る。電池６は、ハンディターミナル１の電源電力の供給を行う。キー基板３ａは、その上にトリガキー３Ａ及び各種キー３Ｃが設けられ、それらのキー入力信号をメイン基板４へ送信する。
【００２４】
図３に、ハンディターミナル１の回路構成を示す。図３に示すように、ハンディターミナル１は、制御手段としてのＣＰＵ（Central Processing Unit）１１、入力部１２、ＲＡＭ（Random Access Memory）１３、表示部１４、ＲＯＭ（Read Only Memory）１５、平面モノポールアンテナ３０を有する通信手段としての無線通信部１６、フラッシュメモリ１７、アンテナ１８ａを有する無線ＬＡＮ通信部１８、スキャナ部１９、Ｉ／Ｆ（InterFace）２０等を備えて構成され、各部がバス２１を介して接続される。
【００２５】
ＣＰＵ１１は、ハンディターミナル１の各部を中央制御する。ＣＰＵ１１は、ＲＯＭ１５に記憶されているシステムプログラム及び各種アプリケーションプログラムの中から指定されたプログラムをＲＡＭ１３に展開し、ＲＡＭ１３に展開されたプログラムとの協働で、各種処理を実行する。
【００２６】
ＣＰＵ１１は、各種プログラムとの協働により、入力部１２を介する操作情報の入力を受け付け、ＲＯＭ１５から各種情報を読み出し、フラッシュメモリ１７に各種情報の読み書きを行い、無線通信部１６及び平面モノポールアンテナ３０を介して、基地局と携帯電話通信を行うことにより、基地局を介して外部機器と通信を行い、無線ＬＡＮ通信部１８及びアンテナ１８ａを介して外部機器と無線ＬＡＮ通信を行い、スキャナ部１９によりバーコードのデータを読み取り、Ｉ／Ｆ２０を介して外部機器と有線通信を行う。
【００２７】
入力部１２は、トリガキー３Ａ，３Ｂ、各種キー３Ｃを含み、操作者から押下入力された各キーのキー入力信号をＣＰＵ１１に出力する。また、入力部１２は、表示部１４と一体的にタッチパネルが構成されることとしてもよい。
【００２８】
ＲＡＭ１３は、情報を一時的に格納する揮発性のメモリであり、実行される各種プログラムやこれら各種プログラムに係るデータ等を格納するワークエリアを有する。表示部１４は、ＬＣＤ（Liquid Crystal Display）、ＥＬＤ（ElectroLuminescent Display）等で構成され、ＣＰＵ１１からの表示信号に従って各種表示を行う。
【００２９】
ＲＯＭ１５は、各種プログラム、各種データが予め読み出し専用に記憶される記憶部である。
【００３０】
無線通信部１６は、平面モノポールアンテナ３０と接続され、平面モノポールアンテナ３０を用いてＧＳＭ等の携帯電話通信により基地局等を介して外部機器と情報の送受信を行う。本実施の形態では、携帯電話通信として、周波数帯域が８２４〜９６０［ＭＨｚ］帯と、１７１０〜１９９０［ＭＨｚ］帯と、のマルチバンドの無線通信を行う例を説明する。平面モノポールアンテナ３０も、これらの周波数帯にマッチングされている。しかし、これに限定されるものではなく、平面モノポールアンテナ３０及び無線通信部１６が、他の周波数帯や、他の無線通信方式の無線通信を行う構成としてもよい。
【００３１】
フラッシュメモリ１７は、各種データ等の情報が読み出し及び書き込み可能な記憶部である。
【００３２】
無線ＬＡＮ通信部１８は、平面モノポールアンテナ等のアンテナ１８ａと接続され、アンテナ１８ａを介して無線ＬＡＮ通信方式によりアクセスポイント等を介して外部機器と情報の送受信を行う。
【００３３】
スキャナ部１９は、バーコードイメージを読み取り、そのバーコードイメージのデータをＣＰＵ１１に出力する。
【００３４】
Ｉ／Ｆ２０は、通信ケーブルを介して外部機器と情報を送受信する。Ｉ／Ｆ２０は、例えば、ＵＳＢ（Universal Serial Bus）方式の有線通信部である。
【００３５】
次いで、図４を参照して、平面モノポールアンテナ３０の構成を説明する。図４に、平面モノポールアンテナ３０の構成を示す。平面モノポールアンテナ３０は、フィルム３１と、グランドエレメントとしてのグランド部３２と、アンテナエレメントとしてのモノポール部３３と、を備えて構成される。モノポール部３３は、第１のエレメントとしてのポール部３４と、コンデンサエレメントとしてのコンデンサ部３５と、コイルエレメントとしてのコイル部３６と、第２のエレメントとしてのポール部３７と、を備える。
【００３６】
フィルム３１は、ＦＰＣ（Flexible Print Circuit）のフィルムであり、ポリイミド等の絶縁体により形成されている。グランド部３２及びモノポール部３３は、銅箔等の平面状の導電体により構成され、フィルム３１上にプリント配線されている。グランド部３２は、グランド電位に接続される。また、グランド部３２は、同軸ケーブル４０と接続される突起部３２ａを有する。
【００３７】
モノポール部３３は、モノポール状のアンテナエレメントであり、ポール部３４、コンデンサ部３５、コイル部３６、ポール部３７が順に一体的に形成されている。ポール部３４の一端が同軸ケーブル４０と接続される。コンデンサ部３５は、ギャップを有する。コンデンサ部３５の電気容量Ｃは、コンデンサ部３５のギャップに面する部分の面積（長さＬｃ）に比例する。コンデンサ部３５の静電容量Ｃは、ギャップ長に反比例する。
【００３８】
コイル部３６は、一巻きのコイル形状（ループ形状）を有する。コイル部３６のコイル形状の直径を大きくするにつれて、コイル部３６のインダクタンスＬも大きくなる。コンデンサ部３５及びコイル部３６は、トラップコイルとして機能する。ポール部３７は、帯状の形状を有し、先端が斜めに切れ込まれた切れ込み部３７１を有する。また、ポール部３７は、グランド部３２の上辺に平行に設けられる。また、コンデンサ部３５は、グランド部３２の上辺に垂直に延在するギャップを有する。
【００３９】
次いで、図５を参照して、平面モノポールアンテナ３０と同軸ケーブル４０との接続について説明する。図５に、平面モノポールアンテナ３０と同軸ケーブル４０との接続構成を示す。但し、図５上、フィルム３１が省略されている。
【００４０】
同軸ケーブル４０は、中心から外側へ、銅線等の芯線４１、ポリエチレン等の絶縁体４２、外部導体４３、絶縁体としての保護被覆部４４を順に同心円状に備えて構成される。同軸ケーブル４０の一端の芯線４１がモノポール部３３のポール部３４の端部にハンダ付けされ、外部導体４３がグランド部３２の突起部３２ａにハンダ付けされる。同軸ケーブル４０の他端は、ＧＳＭモジュール５に接続される。同軸ケーブル４０の他端において、芯線４１がＧＳＭモジュール５のアンテナ電流の端子に接続され、外部導体４３がＧＳＭモジュール５のグランドに接続される。この平面モノポールアンテナ３０における同軸ケーブル４０との接続部分を給電点という。
【００４１】
次に、図６及び図７を参照して、平面モノポールアンテナ３０の基となるモノポールアンテナの原理について説明する。図６に、シングルバンドのモノポールアンテナ５０の構成を示す。図７（ａ）に、マルチバンドのモノポールアンテナ６０の等価回路を示す。図７（ｂ）に、モノポールアンテナ６０の周波数に対するＳパラメータ特性を示す。
【００４２】
図６に示すように、シングルバンドのモノポールアンテナ５０は、直角に折り曲げられたモノポール部５１と、グランド部５２と、を備えて構成される。モノポールアンテナ５０は、図５と同様に、給電点Ｐで同軸ケーブルと接続される。また、モノポール部５１のうち、グランド部５２と平行な部分の長さを長さＬ１とし、グランド部５２と垂直な部分の長さを長さＬ２とする。
【００４３】
無線通信の電波の波長（共振させたい周波数の波長）を波長λとする。モノポール部５１の全長（Ｌ１＋Ｌ２）が、λ／４に設定されることで無線通信の電波との共振がとられている。モノポール部５１をプラスチック、ゴム、セラミック等の誘電体で挟み込む構成では、ε：誘電率として、全長（Ｌ１＋Ｌ２）が１／（ε）−１／２倍に短縮される。
【００４４】
また、給電点Ｐのインピーダンスは、グランド部５２とモノポール部５１の平行部分との距離に反比例するので、送信機（ＧＳＭモジュール５）の出力端子のインピーダンスに合うように、距離Ｌ２が設定される。モノポールアンテナ５０のように、モノポール部５１の先端側がグランド部５２から直角に配置される場合は、約５０［Ω］のインピーダンスに設定される。このように、インピーダンスを５０［Ω］に設定する場合は、モノポール部５１の垂直部分の長さＬ２が、λ／８以上に設定されると、ポール部分を折り曲げた構成の影響が少なくなり、望ましい。モノポール部５１の共振周波数帯は、周波数λ帯のみである。
【００４５】
図４に示した平面モノポールアンテナ３０は、図７（ａ）に示すマルチバンドのモノポールアンテナ６０と等価になる。モノポールアンテナ６０は、直角に折り曲げられたモノポール部６１と、グランド部６２と、を備えて構成される。モノポール部６１は、グランド部６２と平行な部分の途中に並列共振回路６１ａを有する。並列共振回路６１ａは、コンデンサ及びコイルがモノポール部６１に並列に接続されている。モノポール部６１のグランド部６２に平行な部分のうち、並列共振回路６１ａを境に先端側の長さを長さＬ３とし、並列共振回路６１ａを境に給電点Ｐ側の長さを長さＬ４とする。
【００４６】
図７（ｂ）に示すように、モノポールアンテナ６０の周波数に対するＳパラメータ特性において、周波数ｆ３と、周波数ｆ４と、の２つの周波数で共振が発生している。Ｓパラメータは、入射波と反射波の関係を示す数値であり、その値が低い部分で共振が発生していることを表す。高い周波数側では、並列共振回路６１ａのインピーダンスによって切り離される部分以下のエレメント長である長さＬ４に対応する周波数ｆ４で共振が発生している。低い周波数側では、並列共振回路６１ａのインピーダンスが低くなるのでエレメント全長である長さ（Ｌ３＋Ｌ４）に対応する周波数ｆ３で共振が発生している。この原理により、並列共振回路６１ａ手前のエレメント長の共振点と、エレメント全長の共振点と、の２つの周波数に共振するマルチバンドのモノポールアンテナ６０が実現できる。
【００４７】
図８に、平面モノポールアンテナ３０の周波数に対するＳパラメータ特性を示す。本実施の形態の平面モノポールアンテナ３０において、コンデンサ部３５及びコイル部３６が、モノポールアンテナ６０の並列共振回路６１ａに対応する。このため、平面モノポールアンテナ３０は、モノポール部３３のポール部３４及び３７の長さ（≒モノポール部３３のグランド部３２に平行な方向の長さ）と、ポール部３７の長さと、に対応する２つの周波数に共振するマルチバンドアンテナとして機能する。
【００４８】
図８に示すように、平面モノポールアンテナ３０の周波数に対するＳパラメータ特性において、ポール部３４及び３７の長さに対応する周波数ｆａと、ポール部３４の長さに対応する周波数ｆｂと、の２つの周波数帯で共振が発生する。
【００４９】
また、ポール部３７が切れ込み部３７１を有するので、ポール部３７の外側の最も長い部分と、ポール部３７内の対角線部分との長さに対応して共振が発生し、ポール部３７の長さに対応する低い周波数側の共振周波数帯域を広げることができる。
【００５０】
また、平面モノポールアンテナ３０において、モノポール部３３と、グランド部３２との間の距離を変更することで、給電点Ｐのインピーダンスを自在に変更して設定することができる。例えば、グランド部３２の上辺とポール部３４との間の角度を大きく設定すると、モノポール部３３とグランド部３２との間の距離が大きくなり、給電点Ｐのインピーダンスも高くなる。逆に、グランド部３２の上辺とポール部３４との間の角度を小さく設定すると、モノポール部３３とグランド部３２との間の距離が小さくなり、給電点Ｐのインピーダンスも低くなる。
【００５１】
次いで、図９及び図１０を参照して、平面モノポールアンテナ３０のコンデンサ部３５及びコイル部３６の位置を変更した場合の特性を説明する。図９に、平面モノポールアンテナ３０ａの構成を示す。図１０に、平面モノポールアンテナ３０ａの周波数に対するＳパラメータ特性を示す図である。
【００５２】
図９に示す平面モノポールアンテナ３０ａは、平面モノポールアンテナ３０のコンデンサ部３５及びコイル部３６を、給電点Ｐ側へ平行移動したアンテナである。平面モノポールアンテナ３０ａは、フィルム３１（図９上図示略）と、グランド部３２と、導電体のモノポール部３３ａと、を備えて構成される。モノポール部３３ａは、ポール部３４ａ、コンデンサ部３５、コイル部３６、ポール部３７ａが順に一体的に形成されている。
【００５３】
平面モノポールアンテナ３０ａのグランド部３２の上辺に平行なモノポール部３３ａの長さ（ポール部３４ａ及び３７ａの長さ）は、平面モノポールアンテナ３０のグランド部３２の上辺に平行なモノポール部３３の長さ（ポール部３４及び３７の長さ）と同じである。しかし、平面モノポールアンテナ３０ａのポール部３４ａの長さは、平面モノポールアンテナ３０のポール部３４の長さより短い。
【００５４】
図１０に示す平面モノポールアンテナ３０ａの周波数に対するＳパラメータ特性を、図８の平面モノポールアンテナ３０の特性と比較する。これら２つのアンテナの特性において、低い周波数側の共振周波数は、周波数ｆａで変わりない。しかし、同様に高い周波数側の共振周波数は、平面モノポールアンテナ３０ａの周波数ｆｃが、平面モノポールアンテナ３０の周波数ｆｂよりも高い値となっている。このため、コンデンサ部３５及びコイル部３６の位置を移動して設定することにより、高い周波数側の共振周波数を自在に変更できる。
【００５５】
以上、本実施の形態によれば、平面モノポールアンテナ３０は、フィルム３１と、フィルム３１上に形成される一体で平面の導電体のモノポール部３３と、フィルム３１上に形成される平面の導電体のグランド部３２と、を備える。モノポール部３３は、給電点Ｐが形成されるポール部３４、コンデンサ部３５及びコイル部３６、ポール部３７が順に一体的に形成される。このように、平面モノポールアンテナ３０をフィルムアンテナとして構成し、またモノポール部３３としては複数のアンテナエレメントが不要であり、さらに別部品としてのトラップコイルを設けない。このため、小型化及び作成が容易なマルチバンドアンテナとしての平面モノポールアンテナ３０を実現できる。
【００５６】
また、モノポール部３３を一本のアンテナエレメントで構成でき、グランド部３２に対して複数のアンテナエレメントを平行に設けることない。このため、共振周波数によるインピーダンスのずれを無くすことができ、適切なマッチングが可能となる。
【００５７】
また、モノポール部３３のポール部３７が切れ込み部３７１を有する。このため、低い周波数側の共振周波数帯域を広くすることができる。
【００５８】
また、平面モノポールアンテナ３０において、ポール部３４の長さが高周波数側の共振周波数に対応し、モノポール部３３の長さが低周波数側の共振周波数に対応する。このため、ポール部３４の長さと、モノポール部３３の長さ、とを調整して平面モノポールアンテナ３０を作成することで、共振させたい周波数に自在にマッチングさせることができる。
【００５９】
また、ハンディターミナル１は、上記効果を奏する平面モノポールアンテナ３０を設ける。このため、マルチバンド通信を行うことができるとともに、ハンディターミナル１を小型化できる。
【００６０】
（第１の変形例）
図１１を参照して、上記実施の形態の第１の変形例を説明する。図１１に、平面モノポールアンテナ７０の構成を示す。
【００６１】
本変形例では、上記実施の形態のハンディターミナル１において、平面モノポールアンテナ３０に代えて平面モノポールアンテナ７０を設けるものとする。図１１に示すように、平面モノポールアンテナ７０は、ポリイミド等の絶縁体のフィルム（図１１上図示略）と、当該フィルム上に形成された銅箔等の導電体のモノポール部７１、グランド部７２と、を備えて構成される。モノポール部７１は、台形のポール部７３、コイル部７５、台形のポール部７６、帯状のポール部７７が順に一体的に形成されている。
【００６２】
また、ポール部７３とポール部７６とにより、その間のギャップを有するコンデンサ部７４が構成されている。また、ポール部７３の下端部分と、グランド部７２とに、同軸ケーブル４０が接続される給電点Ｐが設定される。また、ポール部７７は、グランド部７２の上辺に平行に設けられる。また、コンデンサ部７４は、グランド部７２の上辺に垂直に延在するギャップを有する。
【００６３】
ポール部７３の下辺とグランド部７２の上辺との間の角度を角度θ１とする。また、ポール部７３の下辺の長さを長さＬ５とする。また、ポール部７６の下辺とグランド部７２の上辺との間の角度を角度θ２とする。また、平面モノポールアンテナ７０のグランド部３２の上辺に平行なモノポール部７１の長さ（ポール部７３，７６，７７の長さ）を長さＬ６とする。
【００６４】
平面モノポールアンテナ７０において、ポール部７３の下辺（長さＬ５）に対応して共振が発生する。つまり、ポール部７３の左側部分とは高周波的に分離して機能する。共振させる周波数の波長λ１を用いると、長さＬ５が、λ１／４に相当する長さに設定される。また、角度θ１を変更して設定することで、高い周波数に対する給電点Ｐのインピーダンスを変更設定することが可能である。一般的には、送信機や同軸ケーブル４０のインピーダンスが５０［Ω］のものが多いため、それに合わせて角度θ１が設定される。
【００６５】
平面モノポールアンテナ７０において、低い周波数側では、モノポール部７１の全長（上辺）（長さＬ６）部分に共振が発生する。共振させる周波数の波長λ２を用いると、長さＬ６が、λ２／４に相当する長さに設定される。低い周波数では、コンデンサ部７４及びコイル部７５からなるトラップコイルのインピーダンスが低くなるので、高周波的な影響が減ることにより、モノポール部７１のトラップコイルを境にした両側の長さの和で共振する。また、角度θ２を変更して設定することで、低い周波数に対する給電点Ｐのインピーダンスを変更設定することが可能である。一般的には、送信機や同軸ケーブル４０のインピーダンスが５０［Ω］のものが多いため、それに合わせて角度θ２が設定される。
【００６６】
以上、本変形例によれば、上記実施の形態の平面モノポールアンテナ３０と同様に、小型化及び作成が容易で且つ適切なマッチングが可能なマルチバンドアンテナとしての平面モノポールアンテナ７０を実現できる。
【００６７】
また、平面モノポールアンテナ７０において、ポール部７３の下辺の長さＬ５が高周波数側の共振周波数に対応し、モノポール部７１の長さＬ６が低周波数側の共振周波数に対応する。このため、ポール部７３の下辺の長さＬ５と、モノポール部７１の長さＬ６、とを調整して平面モノポールアンテナ７０を作成することで、共振させたい周波数に自在にマッチングさせることができる。
【００６８】
また、ポール部７３がグランド部７２の上辺と角度θ１を有する。このため、角度θ１を調整して平面モノポールアンテナ７０を作成することで、高い周波数に対する給電点Ｐのインピーダンスを自在に設定できる。
【００６９】
また、ポール部７６がグランド部７２の上辺と角度θ２を有する。このため、角度θ２を調整して平面モノポールアンテナ７０を作成することで、低い周波数に対する給電点Ｐのインピーダンスを自在に設定できる。
【００７０】
（第２の変形例）
図１２を参照して、上記実施の形態の第２の変形例を説明する。図１２に、平面モノポールアンテナ３０ｂの構成を示す。
【００７１】
本変形例では、上記実施の形態のハンディターミナル１において、平面モノポールアンテナ３０に代えて平面モノポールアンテナ３０ｂを設けるものとする。図１２に示すように、平面モノポールアンテナ３０ｂは、ポリイミド等の絶縁体のフィルム（図１２上図示略）と、当該フィルム上に形成された銅箔等の導電体のモノポール部３３ｂ、グランド部３２と、を備えて構成される。モノポール部３３ｂは、台形のポール部３４ｂ、コンデンサ部３５、コイル部３６、ポール部３７が順に一体的に形成されている。また、ポール部３４ｂの上辺は、グランド部３２の上辺に平行に設けられる。
【００７２】
以上、本変形例によれば、上記実施の形態の平面モノポールアンテナ３０と同様の効果を奏する平面モノポールアンテナ３０ｂを実現できる。
【００７３】
（第３の変形例）
図１３を参照して、上記実施の形態の第３の変形例を説明する。図１３（ａ）に、平面モノポールアンテナ８０の構成を示す。図１３（ｂ）に、平面モノポールアンテナ８０ａの構成を示す。
【００７４】
本変形例では、上記実施の形態のハンディターミナル１において、平面モノポールアンテナ３０に代えて平面モノポールアンテナ８０を設けるものとする。図１３（ａ）に示すように、平面モノポールアンテナ８０は、ポリイミド等の絶縁体のフィルム（図１３上図示略）と、当該フィルム上に形成された銅箔等の導電体のモノポール部８１、グランド部８２と、を備えて構成される。モノポール部８１は、帯状のポール部８３、コイル部８５、帯状のポール部８６が順に一体的に形成されている。
【００７５】
また、ポール部８３とポール部８６とにより、その間のギャップを有するコンデンサ部８４が構成されている。グランド部８２は、突起部８２ａを有する。また、ポール部８３の下端部分と、グランド部８２の突起部８２ａとに、同軸ケーブル４０が接続される給電点Ｐが設定される。また、ポール部８３，８６は、グランド部３２の上辺に平行に設けられる。また、コンデンサ部８４は、グランド部８２の上辺に垂直に延在するギャップを有する。
【００７６】
平面モノポールアンテナ８０において、低周波数側の共振周波数は、モノポール部８１の全長（グランド部８２の上辺に平行な方向の長さ）に対応する。同様に、高周波数側の共振周波数は、ポール部８６（グランド部８２の上辺に平行な方向の長さ）の長さに対応する。
【００７７】
また、図１３（ｂ）を参照して、平面モノポールアンテナ８０において、モノポール部８１の全長が同じで、ポール部８６の長さを変更した平面モノポールアンテナ８０ａを考える。図１３（ｂ）に示すように、平面モノポールアンテナ８０ａは、絶縁体のフィルム（図１３上図示略）と、当該フィルム上に形成された導電体のモノポール部８１ａ、グランド部８２と、を備えて構成される。モノポール部８１ａは、帯状のポール部８３ａ、コイル部８５、ポール部８６ａが順に一体的に形成されている。また、ポール部８３ａ，８６ａは、グランド部８２の上辺に平行に設けられる。
【００７８】
平面モノポールアンテナ８０ａにおいて、低周波数側の共振周波数は平面モノポールアンテナ８０と変らないが、ポール部８６ａの長さ＞ポール部８６の長さであるため、高周波数側の共振周波数が平面モノポールアンテナ８０の共振周波数よりも小さくなる。
【００７９】
以上、本変形例によれば、上記実施の形態の平面モノポールアンテナ３０と同様に、小型化及び作成が容易で且つ適切なマッチングが可能なマルチバンドアンテナとしての平面モノポールアンテナ８０を実現できる。
【００８０】
また、平面モノポールアンテナ８０において、ポール部８３の長さが高周波数側の共振周波数に対応し、モノポール部８１の長さが低周波数側の共振周波数に対応する。このため、ポール部８３の長さと、モノポール部８１の長さ、とを調整して平面モノポールアンテナ８０を作成することで、共振させたい周波数に自在にマッチングさせることができる。
【００８１】
（第４の変形例）
図１４を参照して、上記実施の形態の第４の変形例を説明する。図１４に、平面モノポールアンテナ９０の構成を示す。
【００８２】
本変形例では、上記実施の形態のハンディターミナル１において、平面モノポールアンテナ３０に代えて平面モノポールアンテナ９０を設けるものとする。図１４に示すように、平面モノポールアンテナ９０は、ポリイミド等の絶縁体のフィルム（図１４上図示略）と、当該フィルム上に形成された銅箔等の導電体のモノポール部９１、グランド部９２と、を備えて構成される。モノポール部９１は、三角形のポール部９３、コイル部９５、三角形のポール部９６が順に一体的に形成されている。
【００８３】
また、ポール部９３とポール部９６とにより、その間のギャップを有するコンデンサ部９４が構成されている。また、ポール部９３の下端部分と、グランド部９２とに、同軸ケーブル４０が接続される給電点Ｐが設定される。また、ポール部９３，９６の上辺は、グランド部９２の上辺に平行に設けられる。また、コンデンサ部９４は、グランド部９２の上辺に垂直に延在するギャップを有する。
【００８４】
また、ポール部９３とグランド部９２の上辺との間に角度θ３を有し、ポール部９６とグランド部９２の上辺との間に角度θ４を有する。角度θ３の調整により、高い周波数に対する給電点Ｐのインピーダンスが設定され、角度θ４の調整により、低い周波数に対する給電点Ｐのインピーダンスが設定される。
【００８５】
以上、本変形例によれば、上記第１の変形例の平面モノポールアンテナ８０と同様の効果を奏するマルチバンドアンテナとしての平面モノポールアンテナ９０を実現できる。なお、平面モノポールアンテナ８０の角度θ１，θ２の調整に比べて、平面モノポールアンテナ９０の角度θ３，θ４の調整の方が、給電点Ｐのインピーダンスコントロールの影響が大きくなる。
【００８６】
（第５の変形例）
図１５を参照して、上記実施の形態の第５の変形例を説明する。図１５に、平面モノポールアンテナ１００の構成を示す。
【００８７】
本変形例では、上記実施の形態のハンディターミナル１において、平面モノポールアンテナ３０に代えて平面モノポールアンテナ１００を設けるものとする。図１５に示すように、平面モノポールアンテナ１００は、ポリイミド等の絶縁体のフィルム（図１５上図示略）と、当該フィルム上に形成された銅箔等の導電体のモノポール部１０１、グランド部１０２と、を備えて構成される。モノポール部１０１は、台形のポール部１０３、コンデンサ部１０４、四角形のコイル部１０５、帯状のポール部１０６が順に一体的に形成されている。
【００８８】
グランド部１０２は、突起部１０２ａを有する。また、ポール部１０３の下端部分と、グランド部１０２の突起部１０２ａとに、同軸ケーブル４０が接続される給電点Ｐが設定される。また、ポール部１０３は、先端に切れ込み部１０６１を有する。また、ポール部１０６とポール部１０３の上辺とは、グランド部１０２の上辺に平行に設けられる。また、コンデンサ部１０４は、グランド部１０２の上辺に垂直に延在するギャップを有する。
【００８９】
以上、本変形例によれば、上記実施の形態の平面モノポールアンテナ３０と同様の効果を奏する平面モノポールアンテナ１００を実現できる。
【００９０】
また、コイル部１０５が円形でなく四角形である。このため、コイル部１０５をより容易に形成できる。
【００９１】
（第６の変形例）
図１６及び図１７を参照して、上記実施の形態の第６の変形例を説明する。図１６に、平面モノポールアンテナ１１０の構成を示す。図１７に、平面モノポールアンテナ１１０の周波数に対するＳパラメータの特性を示す。
【００９２】
本変形例では、上記実施の形態のハンディターミナル１において、平面モノポールアンテナ３０に代えて平面モノポールアンテナ１１０を設けるものとする。図１６に示すように、平面モノポールアンテナ１１０は、ポリイミド等の絶縁体のフィルム（図１６上図示略）と、当該フィルム上に形成された銅箔等の導電体のモノポール部１１１、グランド部１１２と、を備えて構成される。モノポール部１１１は、台形のポール部１１３、コンデンサ部１１４、円形のコイル部１１５、台形のポール部１１６、コンデンサ部１１７、円形のコイル部１１８、円形のコイル部１１８、帯状のポール部１１９が順に一体的に形成されている。
【００９３】
また、ポール部１１６がコンデンサ部１１７を含んで構成されている。グランド部１１２は、突起部１１２ａを有する。また、ポール部１１３の下端部分と、グランド部１１２の突起部１１２ａとに、同軸ケーブル４０が接続される給電点Ｐが設定される。また、ポール部１１９は、先端に切れ込み部１１９１を有する。また、ポール部１１９とポール部１１３，１１６の上辺とは、グランド部１１２の上辺に平行に設けられる。また、コンデンサ部１１４，１１７は、グランド部１１２の上辺に垂直に延在するギャップを有する。
【００９４】
グランド部１１２の上辺に平行なポール部１１３の長さを長さＬ７とする。グランド部１１２の上辺に平行なコンデンサ部１１４及びポール部１１６の長さを長さＬ８とする。グランド部１１２の上辺に平行なポール部１１９の長さを長さＬ９とする。グランド部１１２の上辺に平行なモノポール部１１１の全長を長さ（Ｌ７＋Ｌ８＋Ｌ９）とする。
【００９５】
図１７に示すように、平面モノポールアンテナ１１０の周波数に対するＳパラメータ特性において、周波数ｆ７と、周波数ｆ８と、周波数ｆ９と、の３つの周波数帯で共振が発生している。高い周波数側では、長さＬ９に対応する周波数ｆ９で共振が発生している。中間の周波数では、長さ（Ｌ８＋Ｌ９）に対応する周波数ｆ８で共振が発生している。低い周波数側では、エレメント全長である長さ（Ｌ７＋Ｌ８＋Ｌ９）に対応する周波数ｆ７で共振が発生している。この原理により、３つの周波数に共振するマルチバンドでモノポールの平面モノポールアンテナ１１０が実現できる。
【００９６】
以上、本変形例によれば、上記実施の形態の平面モノポールアンテナ３０と同様に、小型化及び作成が容易で、適切なマッチングが可能で且つ低い周波数側の共振周波数帯域を広くすることができるマルチバンドアンテナとしての平面モノポールアンテナ１１０を実現できる。
【００９７】
また、平面モノポールアンテナ１１０は、２つのトラップコイル（コンデンサ部１１４及びコイル部１１５、コンデンサ部１１７及びコイル部１１８）を有する。このため、３つの共振周波数帯域を有するマルチバンドの平面モノポールアンテナ１１０を実現できる。
【００９８】
また、平面モノポールアンテナ１１０において、ポール部１１３の長さＬ９が高周波数側の共振周波数に対応し、ポール部１１６等の長さ（Ｌ８＋Ｌ９）が中間の周波数の共振周波数に対応し、モノポール部１１１の長さ（Ｌ７＋Ｌ８＋Ｌ９）が低周波数側の共振周波数に対応する。このため、ポール部１１３，１１６、モノポール部１１１の長さを調整して平面モノポールアンテナ１１０を作成することで、共振させたい周波数に自在にマッチングさせることができる。
【００９９】
なお、本変形例は、コンデンサ部及びコイル部の組を２つ設けて、共振周波数を３つにする構成としたが、コンデンサ部及びコイル部の組を３つ以上設ける構成としてもよい。
【０１００】
（第７の変形例）
図１８を参照して、上記実施の形態の第７の変形例を説明する。図１８に、平面モノポールアンテナ１２０の構成を示す。
【０１０１】
本変形例では、上記実施の形態のハンディターミナル１において、平面モノポールアンテナ３０に代えて平面モノポールアンテナ１２０を設けるものとする。図１８に示すように、平面モノポールアンテナ１２０は、ポリイミド等の絶縁体のフィルム（図１８上図示略）と、フィルム上に形成された銅箔等の導電体のモノポール部１２１、グランド部１２２と、を備えて構成される。モノポール部１２１は、台形のポール部１２３、コンデンサ部１２４、円形のコイル部１２５、帯状のポール部１２６が順に一体的に形成されている。
【０１０２】
グランド部１２２は、突起部１２２ａを有する。また、ポール部１２３の下端部分と、グランド部１２２の突起部１２２ａとに、同軸ケーブル４０が接続される給電点Ｐが設定される。また、ポール部１２６とポール部１２３の上辺とは、グランド部１２２の上辺に平行に設けられる。
【０１０３】
コンデンサ部１２４は、グランド部１２２の上辺に対して斜めにギャップを有する。よって、グランド部１２２の上辺に対して垂直にギャップを有するコンデンサ部に比べて、コンデンサ部１２４のギャップの表面積（長さ）を大きくすることができ、コンデンサ部１２４の静電容量Ｃも大きくなる。
【０１０４】
以上、本変形例によれば、上記実施の形態の平面モノポールアンテナ３０と同様に、小型化及び作成が容易で且つ適切なマッチングが可能なマルチバンドアンテナとしての平面モノポールアンテナ１２０を実現できる。
【０１０５】
また、コンデンサ部１２４は、グランド部１２２の上辺に対して斜めにギャップを有する。このため、コンデンサ部１２４の静電容量Ｃを大きくすることができる。
【０１０６】
（第８の変形例）
図１９を参照して、上記実施の形態の第８の変形例を説明する。図１９に、平面モノポールアンテナ１３０の構成を示す。
【０１０７】
本変形例では、上記実施の形態のハンディターミナル１において、平面モノポールアンテナ３０に代えて平面モノポールアンテナ１３０を設けるものとする。図１９に示すように、平面モノポールアンテナ１３０は、ポリイミド等の絶縁体のフィルム（図１９上図示略）と、フィルム上に形成された銅箔等の導電体のモノポール部１３１、グランド部１３２と、を備えて構成される。モノポール部１３１は、台形のポール部１３３、コンデンサ部１３４、円形のコイル部１３５、帯状のポール部１３６が順に一体的に形成されている。
【０１０８】
グランド部１３２は、突起部１３２ａを有する。また、ポール部１３３の下端部分と、グランド部１３２の突起部１３２ａとに、同軸ケーブル４０が接続される給電点Ｐが設定される。また、ポール部１３６とポール部１３３の上辺とは、グランド部１３２の上辺に平行に設けられる。
【０１０９】
コンデンサ部１３４は、グランド部１３２の上辺と垂直方向に延在しギャップ間隔が同一でギザギザに形成されたギャップを有する。このため、ギャップ間隔が同一で直線状に形成されたギャップを有するコンデンサ部に比べて、コンデンサ部１３４のギャップの表面積（長さ）を大きくすることができ、コンデンサ部１３４の静電容量Ｃも大きくなる。
【０１１０】
以上、本変形例によれば、上記実施の形態の平面モノポールアンテナ３０と同様に、小型化及び作成が容易で且つ適切なマッチングが可能なマルチバンドアンテナとしての平面モノポールアンテナ１３０を実現できる。
【０１１１】
また、コンデンサ部１３４は、同一間隔でギザギザのギャップを有する。このため、コンデンサ部１３４の静電容量Ｃを大きくすることができる。
【０１１２】
（第９の変形例）
図２０を参照して、上記実施の形態の第９の変形例を説明する。図２０に、平面モノポールアンテナ１４０の構成を示す。
【０１１３】
本変形例では、上記実施の形態のハンディターミナル１において、平面モノポールアンテナ３０に代えて平面モノポールアンテナ１４０を設けるものとする。図２０に示すように、平面モノポールアンテナ１４０は、ポリイミド等の絶縁体のフィルム（図２０上図示略）と、当該フィルム上に形成された銅箔等の導電体のモノポール部１４１、グランド部１４２と、を備えて構成される。モノポール部１４１とグランド部１４２とが一体的に形成されている。モノポール部１４１は、帯状のポール部１４３、帯状のポール部１４４、外枠のみの三角形のポール部１４５、円形のコイル部１４７、外枠のみの三角形のポール部１４８が一体的に形成されている。
【０１１４】
グランド部１４２は、ポール部１４３と一体的に接続されている。また、ポール部１４５とポール部１４８とにより、その間のギャップを有するコンデンサ部１４６が構成されている。また、ポール部１４４の下端部分と、グランド部１２２とに、同軸ケーブル４０が接続される給電点Ｐが設定される。また、ポール部１４５，１４８の下辺は、グランド部１４２の上辺に平行に設けられる。また、コンデンサ部１４６は、グランド部１４２の上辺に垂直に延在するギャップを有する。
【０１１５】
モノポール部を流れるアンテナ電流は、表皮効果により、主として外枠部分のみを流れる。このため、ポール部１４５，１４８を外枠のみとしても、外枠内も材料を有するアンテナに比べて、アンテナの性能に影響が少ない。
【０１１６】
また、ポール部１４３が、グランド部１４２の上辺に垂直に設けられ、ポール部１４４が、ポール部１４３と平行に設けられている。この構成により、図２０に矢印で示すように、ポール部１４４、ポール部１４５、ポール部１４３、グランド部１４２に、給電点Ｐを含むループ部分が形成されている。
【０１１７】
一般に、平面モノポールアンテナをハンディターミナル等の筐体の金属に近い部分に取り付ける場合に、インピーダンスが低くなっていまい、インピーダンスマッチングが取れないことがある。このため、平面モノポールアンテナ１４０に上記ループ部分を設けたことにより、インピーダンスマッチングをとることを可能にしている。この手法は、逆Ｆ型アンテナ等で使われているマッチング手法である。
【０１１８】
以上、本実施の形態によれば、上記実施の形態の平面モノポールアンテナ３０と同様に、小型化及び作成が容易で且つ適切なマッチングが可能なマルチバンドアンテナとしての平面モノポールアンテナ１４０を実現できる。
【０１１９】
また、ポール部１４５，１４８は、外枠のみからなる。このため、平面モノポールアンテナ１４０のアンテナとしての機能を低下させることなく、平面モノポールアンテナ１４０の軽量化を実現できる。
【０１２０】
また、平面モノポールアンテナ１４０は、給電点Ｐを含むポール部１４３，１４４，１４５及びグランド部１４２からなるループ部分を有する。このため、インピーダンスマッチングをとることができる。
【０１２１】
（第１０の変形例）
図２１を参照して、上記実施の形態の第１０の変形例を説明する。図２１（ａ）に、平面モノポールアンテナ１５０の構成を示す。図２１（ｂ）に、平面モノポールアンテナ１５０ａの構成を示す。
【０１２２】
本変形例では、上記実施の形態のハンディターミナル１において、平面モノポールアンテナ３０に代えて平面モノポールアンテナ１５０を設けるものとする。図２１（ａ）に示すように、平面モノポールアンテナ１５０は、ポリイミド等の絶縁体のフィルム（図２１上図示略）と、当該フィルム上に形成された銅箔等の導電体のモノポール部１５１、グランド部１５２と、を備えて構成される。モノポール部１５１は、台形のポール部１５３、円形のコイル部１５５、台形のポール部１５６が順に一体的に形成されている。
【０１２３】
また、ポール部１５３及び１５６により、ギャップを有するコンデンサ部１５４が形成されている。グランド部１５２は、突起部１５２ａを有する。また、ポール部１５３の下端部分と、グランド部１５２の突起部１５２ａとに、同軸ケーブル４０が接続される給電点Ｐが設定される。また、ポール部１５３，１５６の下辺は、グランド部１５２の上辺に平行に設けられる。また、コンデンサ部１５４は、グランド部１５２の上辺に垂直に延在するギャップを有する。
【０１２４】
平面モノポールアンテナ１５０において、低周波数側の共振周波数は、モノポール部１５１の全長（グランド部１５２の上辺に平行な方向の長さ）に対応する。同様に、高周波数側の共振周波数は、ポール部１５３の上辺（斜辺）の長さに対応する。
【０１２５】
また、図２１（ｂ）を参照して、平面モノポールアンテナ１５０において、モノポール部１５１の全長が同じで、ポール部１５６の長さを変更した平面モノポールアンテナ１５０ａを考える。図２１（ｂ）に示すように、平面モノポールアンテナ１５０ａは、絶縁体のフィルム（図２１上図示略）と、当該フィルム上に形成された導電体のモノポール部１５１ａ、グランド部１５２と、を備えて構成される。モノポール部１５１ａは、台形のポール部１５３ａ、コイル部１５５、ポール部１５６ａが順に一体的に形成されている。
【０１２６】
ポール部１５３ａの長さ＞ポール部１５３の長さであるため、平面モノポールアンテナ１５０ａにおいて、低周波数側の共振周波数は平面モノポールアンテナ１５０と変らないが、高周波数側の共振周波数が、平面モノポールアンテナ１５０の共振周波数よりも小さくなる。
【０１２７】
以上、本変形例によれば、上記実施の形態の平面モノポールアンテナ３０と同様に、小型化及び作成が容易で且つ適切なマッチングが可能なマルチバンドアンテナとしての平面モノポールアンテナ１５０を実現できる。
【０１２８】
また、平面モノポールアンテナ１５０において、ポール部１５３の斜辺の長さが高周波数側の共振周波数に対応し、モノポール部１５１の長さが低周波数側の共振周波数に対応する。このため、ポール部１５３の斜辺の長さと、モノポール部１５１の長さ、とを調整して平面モノポールアンテナ１５０を作成することで、共振させたい周波数に自在にマッチングさせることができる。
【０１２９】
なお、上記実施の形態及び各変形例における記述は、本発明に係る平面モノポールアンテナ及び電子機器の一例であり、これに限定されるものではない。
【０１３０】
上記実施の形態及び各変形例では、電子機器としてハンディターミナルを用いる構成としたが、ＰＤＡ等、他の電子機器としてもよい。
【０１３１】
また、上記実施の形態及び各変形例の全部又は一部のうち少なくとも２つを適宜組み合わせることとしてもよい。例えば、平面モノポールアンテナ７０において、ポール部７７の先端に斜めの切れ込み部を形成する構成としてもよい。
【０１３２】
また、上記実施の形態及び各変形例では、図２（ｂ）に示すように、フィルム３１に対して導電体（モノポール部３３、グランド部３２）をＧＳＭモジュール５側（内側）にして平面モノポールアンテナ３０を設置したが、これに限定されるものではない。フィルム３１に対して導電体（モノポール部３３、グランド部３２）をケース２側（外側）にして平面モノポールアンテナ３０を設置してもよい。また、平面モノポールアンテナ３０の設置の向きは、図２（ｂ）の例に限定されるものではない。
【０１３３】
また、上記実施の形態における平面モノポールアンテナ３０等と、電子機器としてのハンディターミナル１との各構成要素の細部構成及び細部動作に関しては、本発明の趣旨を逸脱することのない範囲で適宜変更可能であることは勿論である。
【図面の簡単な説明】
【０１３４】
【図１】本発明に係る実施の形態のハンディターミナルの正面図である。
【図２】（ａ）は、ハンディターミナルの背面の透視図である。（ｂ）は、ハンディターミナルの側面の透視図である。（ｃ）は、ハンディターミナルの上面の透視図である。
【図３】ハンディターミナルの回路構成を示すブロック図である。
【図４】実施の形態の平面モノポールアンテナの構成を示す図である。
【図５】実施の形態の平面モノポールアンテナと同軸ケーブルとの接続構成を示す図である。
【図６】シングルバンドのモノポールアンテナの構成を示す図である。
【図７】（ａ）は、マルチバンドのモノポールアンテナの等価回路図である。（ｂ）は、モノポールアンテナの周波数に対するＳパラメータ特性を示す図である。
【図８】実施の形態の平面モノポールアンテナの周波数に対するＳパラメータ特性を示す図である。
【図９】実施の形態の他の平面モノポールアンテナの構成を示す図である。
【図１０】実施の形態の他の平面モノポールアンテナの周波数に対するＳパラメータ特性を示す図である。
【図１１】第１の変形例の平面モノポールアンテナの構成を示す図である。
【図１２】第２の変形例の平面モノポールアンテナの構成を示す図である。
【図１３】（ａ）は、第３の変形例の平面モノポールアンテナの構成を示す図である。（ｂ）は、第３の変形例の他の平面モノポールアンテナの構成を示す図である。
【図１４】第４の変形例の平面モノポールアンテナの構成を示す図である。
【図１５】第５の変形例の平面モノポールアンテナの構成を示す図である。
【図１６】第６の変形例の平面モノポールアンテナの構成を示す図である。
【図１７】第６の変形例の平面モノポールアンテナの周波数に対するＳパラメータの特性を示す図である。
【図１８】第７の変形例の平面モノポールアンテナの構成を示す図である。
【図１９】第８の変形例の平面モノポールアンテナの構成を示す図である。
【図２０】第９の変形例の平面モノポールアンテナの構成を示す図である。
【図２１】（ａ）は、第１０の変形例の平面モノポールアンテナの構成を示す図である。（ｂ）は、第１０の変形例の他の平面モノポールアンテナの構成を示す図である。
【符号の説明】
【０１３５】
１  ハンディターミナル
２  ケース
３Ａ，３Ｂ  トリガキー
３Ｃ  各種キー
３ａ  キー基板
４  メイン基板
５  ＧＳＭモジュール
６  電池
１１  ＣＰＵ
１２  入力部
１３  ＲＡＭ
１４  表示部
１５  ＲＯＭ
１６  無線通信部
１７  フラッシュメモリ
１８ａ  アンテナ
１８  無線ＬＡＮ通信部
１９  スキャナ部
２０  Ｉ／Ｆ
２１  バス
３０，３０ａ，３０ｂ，７０，８０，８０ａ，９０，１００，１１０，１２０，１３０，１４０，１５０，１５０ａ  平面モノポールアンテナ
３１  フィルム
３２，７２，８２，９２，１０２，１１２，１２２，１３２，１４２，１５２  グランド部
３２ａ，８２ａ，１０２ａ，１１２ａ，１２２ａ，１３２ａ，１５２ａ  突起部
３３，３３ａ，７１，３３ｂ，８１，８１ａ，９１，１０１，１１１，１２１，１３１，１４１，１５１，１５１ａ  モノポール部
３４，３４ａ，３７，３７ａ，７３，７６，７７，３４ｂ，８３，８３ａ，８６，８６ａ，９３，９６，１０３，１０６，１１３，１１６，１１９，１２３，１２６，１３３，１３６，１４３，１４４，１４５，１４８，１５３，１５６，１５３ａ，１５６ａ  ポール部
３５，７４，８４，９４，１０４，１１４，１１７，１２４，１３４，１４６，１５４  コンデンサ部
３６，７５，８５，９５，１０５，１１５，１１８，１２５，１３５，１４７，１５５  コイル部
３７１，１０６１，１１９１  切れ込み部
４０  同軸ケーブル
４１  芯線
４２  絶縁体
４３  外部導体
４４  保護被覆部
５０，６０  モノポールアンテナ
５１，６１  モノポール部
６１ａ  並列共振回路
５２，６２  グランド部
Ｐ  給電点
【図１】
0004613950.tif 000002
【図２】
0004613950.tif 000003
【図３】
0004613950.tif 000004
【図４】
0004613950.tif 000005
【図５】
0004613950.tif 000006
【図６】
0004613950.tif 000007
【図７】
0004613950.tif 000008
【図８】
0004613950.tif 000009
【図９】
0004613950.tif 000010
【図１０】
0004613950.tif 000011
【図１１】
0004613950.tif 000012
【図１２】
0004613950.tif 000013
【図１３】
0004613950.tif 000014
【図１４】
0004613950.tif 000015
【図１５】
0004613950.tif 000016
【図１６】
0004613950.tif 000017
【図１７】
0004613950.tif 000018
【図１８】
0004613950.tif 000019
【図１９】
0004613950.tif 000020
【図２０】
0004613950.tif 000021
【図２１】
0004613950.tif 000022